【事件の表示】
　特願２０１３−２４１６４３号「遊技機」拒絶査定不服審判事件〔平成２７年　６月　４日出願公開、特開２０１５−１００４３８号〕について、次のとおり審決する。
【結　論】
　本件審判の請求は、成り立たない。
【理　由】
第１　手続の経緯
　本願は、平成２５年１１月２２日に特許出願されたものであって、平成２９年４月２５日付けで拒絶理由通知がなされ、同年７月１０日に意見書及び手続補正書が提出され、同年１２月６日付け（発送日：同年１２月１２日）で拒絶査定がなされ、これに対して平成３０年３月９日に拒絶査定不服審判が請求されると同時に手続補正がなされたものである。
第２　平成３０年３月９日に提出された手続補正書による補正についての補正の却下の決定
［補正の却下の結論］
　平成３０年３月９日に提出された手続補正書による補正（以下「本件補正」という。）を却下する。
［理由］
１　本件補正の内容
　本件補正は特許請求の範囲の請求項１の記載の補正を含む補正であり、本件補正により、特許請求の範囲の請求項１の記載は、
　本件補正前の
「　【請求項１】
　遊技中に抽選契機が発生すると、内部抽選を実行する内部抽選実行手段と、
　前記内部抽選が実行されると、これを契機として図柄を所定の変動時間にわたって変動表示させた後に前記内部抽選の結果を表す態様で図柄を停止表示させる図柄表示手段と、
　前記内部抽選の結果に応じて前記図柄表示手段により非当選以外の態様で図柄が停止表示されると特別遊技を実行する特別遊技実行手段と、
　前記特別遊技の一部を構成する特別遊技時間について、前記図柄表示手段により停止表示された図柄の態様に対応して予め複数種類の特別遊技時間を規定する特別遊技時間規定手段と、
　前記特別遊技実行手段により前記特別遊技が実行されるに際して、特別な条件を満たす場合、前記特別遊技時間規定手段とは別に予め規定された特別遊技時間を選択する一方、前記特別な条件を満たさない場合、前記特別遊技時間規定手段に規定された複数種類の特別遊技時間の中から前記図柄表示手段により停止表示された際の図柄の態様に基づいて特別遊技時間を選択する特別遊技時間選択手段と
　を備えた遊技機。」
から、
　本件補正後の
「　【請求項１】
　遊技中に抽選契機が発生すると、内部抽選を実行する内部抽選実行手段と、
　前記内部抽選が実行されると、これを契機として図柄を所定の変動時間にわたって変動表示させた後に前記内部抽選の結果を表す態様で図柄を停止表示させる図柄表示手段と、
　前記内部抽選の結果に応じて前記図柄表示手段により非当選以外の態様で図柄が停止表示されると特別遊技を実行する特別遊技実行手段と、
　前記特別遊技の一部を構成する特別遊技時間について、前記図柄表示手段により停止表示された図柄の態様に対応して予め複数種類の特別遊技時間を規定する特別遊技時間規定手段と、
　前記特別遊技実行手段により前記特別遊技が実行されるに際して、
遊技状態に基づいて決定される
　を備えた遊技機。」
に補正された（当審にて、補正箇所を明示するための下線を付した。）。
２　補正の適否
　本件補正は、本願の願書に最初に添付された明細書及び図面の【０３９１】から【０４１１】並びに【図４９】、【図５０】及び【図５１】に、根拠となる記載があるから、新規事項を追加するものではなく、特許法第１７条の２第３項の規定を満たすものである。
　また、本件補正は、本件補正前の請求項１に記載された発明を特定するための事項である「特別遊技時間選択手段」が、「特別遊技時間を選択する」、「特別な条件」について、「遊技状態に基づいて決定される」と限定するものである。
　そして、本件補正後の請求項１に記載された発明は、本件補正前の請求項１に記載された発明と、産業上の利用分野及び解決しようとする課題が同一である。
　よって、本件補正は、特許法第１７条の２第５項第２号に掲げる特許請求の範囲の減縮を目的とするものに該当する。
３　独立特許要件
　そこで、本件補正後の特許請求の範囲の請求項１に係る発明（以下「本件補正発明」という。）が、特許法第１７条の２第６項において準用する同法第１２６条第７項の規定に適合するか、すなわち特許出願の際独立して特許を受けることができるものであるかについて、以下で検討する。
（１）本件補正発明
　本件補正発明を再掲すると、次のとおりのものである（当審にて分説のために記号を付した。）。
「　【請求項１】
Ａ　遊技中に抽選契機が発生すると、内部抽選を実行する内部抽選実行手段と、
Ｂ　前記内部抽選が実行されると、これを契機として図柄を所定の変動時間にわたって変動表示させた後に前記内部抽選の結果を表す態様で図柄を停止表示させる図柄表示手段と、
Ｃ　前記内部抽選の結果に応じて前記図柄表示手段により非当選以外の態様で図柄が停止表示されると特別遊技を実行する特別遊技実行手段と、
Ｄ　前記特別遊技の一部を構成する特別遊技時間について、前記図柄表示手段により停止表示された図柄の態様に対応して予め複数種類の特別遊技時間を規定する特別遊技時間規定手段と、
Ｅ　前記特別遊技実行手段により前記特別遊技が実行されるに際して、遊技状態に基づいて決定される特別な条件を満たす場合、前記特別遊技時間規定手段とは別に予め規定された特別遊技時間を選択する一方、前記特別な条件を満たさない場合、前記特別遊技時間規定手段に規定された複数種類の特別遊技時間の中なら前記図柄表示手段により停止表示された際の図柄の態様に基づいて特別遊技時間を選択する特別遊技時間選択手段と
Ｆ　を備えた遊技機。」
（２）刊行物１に記載された発明
ア　記載事項
　原査定の拒絶の理由で引用された、本願の出願前に頒布された刊行物である特開２０１０−２３３９８５号公報（以下「刊行物１」という。）には、図面とともに以下の事項が記載されている。
（ア）「【００２４】
　まず、
図１
パチンコ遊技機の前面側
・・・中略・・・
【００２６】
  次に、遊技盤は、外レール１２２と内レール１２４とにより区画された遊技領域１２０が形成されている。そして、当該
遊技領域１２０には
第１特別図柄表示装置２１３０
が設置されている。
（イ）「【００４３】
　次に、図２を参照しながら、パチンコ遊技機の背面側における基本構造を説明する。
パチンコ遊技機は
主制御装置（メイン基板）１０００
が
設けられている。
・・・中略・・・
【００４５】
　まず、
主制御装置１０００は
遊技制御手段１１００
を有している。
【００４６】
　ここで、
遊技制御手段１１００は
第１特別図柄当選乱数
に基づき当たりであるか否かを抽選する当否抽選手段１１３５と
図柄内容決定手段１１４０と
特別遊技制御手段１１７０
を有している。
（ウ）「【００４８】
　次に、乱数取得判定実行手段１１２０は、
第１特図始動口２２１０への遊技球の入球に基づき第１特別図柄用乱数を取得
第１特別図柄当選乱数
を取得
・・・中略・・・
【００５１】
　次に、当否抽選手段１１３５は、
第１特別図柄当否抽選
の結果、当たりである場合に
内部的に第１特別図柄当たりフラグ
をオンにする
（エ）「【００５６】
　次に、表示制御手段１１５０は、
第１特別図柄表示装置２１３０の第１特図表示部２１３１上で、所定時間第１特別図柄を変動させた後に停止表示
（オ）「【００５９】
　次に、
特別遊技制御手段１１７０は、特別遊技に移行するための条件を充足しているか否か、具体的には、当たりに当選している｛第１特別図柄当たりフラグ
か否かを判定する条件判定手段１１７１と、特別遊技移行条件を充足している場合、当該特別遊技の内容
を特別遊技関連情報一時記憶手段１１９４中にセットする特別遊技内容決定手段１１７２と、大入賞口２１２０を所定条件で開状態にするという特別遊技を実行するための特別遊技実行手段１１７３と、特別遊技に関する各種処理の時間管理（例えば、大入賞口２１２０の開閉時間等）を行うための特別遊技時間管理手段１１７４とを有している。
特別遊技内容決定手段１１７２は
特別遊技内容参照テーブル１１７２ａを更に有している。
【００６０】
　ここで、
表７は、特別遊技内容参照テーブル１１７２ａの一例である。
【表７】
」
（カ）「【００９１】
　ステップ１４０２でＹｅｓの場合、ステップ１４０４で、第１特図乱数取得判定実行手段１１２１（第２特図乱数取得判定実行手段１１２２）は、
第１特別図柄用乱数
を取得
当否抽選手段１１３５は、第１特別図柄用乱数
に基づき、
第１特別図柄当否抽選
を実行する
【００９２】
　そして、ステップ１４１２で、
第１特図内容決定手段１１４１
は
第１特別図柄用乱数
に基づいて第１特別図柄
に関する停止図柄及び変動態様を決定し、これらを第１特図情報一時記憶手段１１９１ｂ
に一時記憶する
第１特別図柄表示装置２１３０の第１特図表示部２１３１
上で、第１特図情報一時記憶手段１１９１ｂ
に記憶された変動態様に従い、第１特別図柄
の変動表示を開始
第１特図制御手段１１５１
は、第１特別図柄表示装置２１３０の第１特図表示部２１３１
上での第１特別図柄
の変動表示を停止し、第１特図情報一時記憶手段１１９１ｂ
に記憶されている停止図柄を確定停止図柄として表示制御する
（キ）「【００９４】
　次に、図１１は、図９におけるステップ１５００のサブルーチンに係る、特別遊技作動条件判定処理のフローチャートである。まず、ステップ１５０２で、
条件判定手段１１７１は
第１特別図柄当たりフラグ
がオンであるか否かを判定する。
Ｙｅｓの場合
第１特別図柄表示装置２１３０の第１特図表示部２１３１
上に表示された第１特別図柄
が所定態様で停止したか否かを判定する。
Ｙｅｓの場合
特別遊技移行許可フラグをオンにし
【００９５】
　次に、図１２は、図４におけるステップ１６００のサブルーチンに係る、特別遊技制御処理のフローチャートである。まず、ステップ１６０２で、
特別遊技実行手段１１７３は
特別遊技移行許可フラグがオンであるか否かを判定する
Ｙｅｓの場合
特別遊技実行フラグをオンにし
特別遊技実行フラグがオンであるか否かを判定する
Ｎｏの場合には
特別遊技の許可が下りていないと判定し
（ク）「【００９８】
　次に、ステップ１６３０で、
特別遊技実行手段１１７３は
大入賞口２１２０を閉鎖する
特別遊技実行手段１１７３は
当該ラウンドが最終ラウンド
であるか否かを判定する。
Ｙｅｓの場合
特別遊技内容決定手段１１７２は、当該特別遊技の契機となった特別図柄の停止特別図柄と遊技状態とに基づき、特別遊技内容参照テーブル１１７２ａを参照し、当該特別遊技終了後の終了デモ時間を決定すると共に、当該決定情報（終了デモ時間）を
セットする。次に
特別遊技終了デモフラグをオンにする。次に
所定時間（前記決定した終了デモ時間）が経過したか否かを判定する。
Ｙｅｓの場合
特別遊技終了デモフラグをオフにする。次に
特別遊技実行フラグをオフにする。
（ケ）「【図１】
」
イ　認定事項
　刊行物１の上記記載事項（ア）ないし（ケ）から、以下の事項が認定できる。
（コ）上記（イ）【００４３】に「パチンコ遊技機は…主制御装置（メイン基板）１０００…が…設けられている。」と記載され、（イ）【００４５】に「…主制御装置１０００は…遊技制御手段１１００…を有している。」と記載され、（イ）【００４６】に「…遊技制御手段１１００は…特別遊技制御手段１１７０と…を有している。」と記載されているから、（ａ）パチンコ遊技機は、遊技制御手段１１００と特別遊技制御手段１１７０とを有しているといえる。
（サ）上記（ア）【００２４】に「…図１…パチンコ遊技機の前面側…」と記載され、（ア）【００２６】に「…遊技領域１２０には…第１特別図柄表示装置２１３０…が設置されている。」と記載されていることに照らして、（ケ）【図１】を参照すれば、「パチンコ遊技機の前面側の遊技領域１２０に第１特別図柄表示装置２１３０が設置されている」ことが読み取れるから、（ｂ）パチンコ遊技機は、第１特別図柄表示装置２１３０を有しているといえる。
（シ）上記（オ）【００５９】に「特別遊技制御手段１１７０は…特別遊技内容決定手段１１７２…を有している。…特別遊技内容決定手段１１７２は…特別遊技内容参照テーブル１１７２ａを更に有している。」と記載されているから、上記（ａ）より、（ｃ）特別遊技制御手段１１７０を有するパチンコ遊技機は、特別遊技内容決定手段１１７２と特別遊技内容参照テーブル１１７２ａとを有しているといえる。
（ス）上記（オ）【００５９】に「特別遊技制御手段１１７０は、特別遊技に移行するための条件を充足しているか否か、具体的には、当たりに当選している｛第１特別図柄当たりフラグ…｝か否かを判定する条件判定手段１１７１と、特別遊技移行条件を充足している場合、当該特別遊技の内容…を特別遊技関連情報一時記憶手段１１９４中にセットする特別遊技内容決定手段１１７２と、大入賞口２１２０を所定条件で開状態にするという特別遊技を実行するための特別遊技実行手段１１７３と、特別遊技に関する各種処理の時間管理（例えば、大入賞口２１２０の開閉時間等）を行うための特別遊技時間管理手段１１７４とを有している。」と記載されているので、特別遊技制御手段１１７０は、特別遊技に移行するための条件を充足している場合、当該特別遊技の内容をセットして、特別遊技に関する各種処理の時間管理を行って、大入賞口２１２０を所定条件で開状態にするという特別遊技を実行するといえる。
　そして、上記特別遊技に移行するための条件に関して、上記（ウ）【００５１】に「…第１特別図柄当否抽選…の結果、当たりである場合に…内部的に第１特別図柄当たりフラグ…をオンにする…」と記載され、（オ）【００５９】に「特別遊技制御手段１１７０は、特別遊技に移行するための条件を充足しているか否か、具体的には、当たりに当選している｛第１特別図柄当たりフラグ…｝か否かを判定する。」と記載され、（キ）【００９４】に「…条件判定手段１１７１は…第１特別図柄当たりフラグ…がオンであるか否かを判定する。…Ｙｅｓの場合…第１特別図柄表示装置２１３０の第１特図表示部２１３１…上に表示された第１特別図柄…が所定態様で停止したか否かを判定する。…Ｙｅｓの場合…特別遊技移行許可フラグをオンにし…」と記載され、（キ）【００９５】に「…特別遊技実行手段１１７３は…特別遊技移行許可フラグがオンであるか否かを判定する。…Ｙｅｓの場合…特別遊技実行フラグをオンにし…特別遊技実行フラグがオンであるか否かを判定する。…Ｎｏの場合には…特別遊技の許可が下りていないと判定し…」と記載されているので、特別遊技の許可は、第１特別図柄当否抽選の結果、当たりである場合、第１特別図柄表示装置２１３０の第１特図表示部２１３１上に表示された第１特別図柄が所定態様で停止すると下りるといえる。
　したがって、（ｄ）特別遊技制御手段１１７０は、第１特別図柄当否抽選の結果、当たりである場合、第１特別図柄表示装置２１３０の第１特図表示部２１３１上に表示された第１特別図柄が所定態様で停止すると、大入賞口２１２０を所定条件で開状態にするという特別遊技を実行するといえる。
（セ）上記（ク）【００９８】には「…大入賞口２１２０を閉鎖する。…ラウンドが最終ラウンド…であると判定する。…Ｙｅｓの場合…終了デモ時間を決定すると共に、当該決定情報（終了デモ時間）を…セットする。次に…特別遊技終了デモフラグをオンにする。次に…所定時間（前記決定した終了デモ時間）が経過したか否かを判定する。…Ｙｅｓの場合…特別遊技終了デモフラグをオフにする。次に…特別遊技実行フラグをオフにする」と記載されているので、（ｅ）終了デモ時間は、最終ラウンド後から特別遊技実行フラグがオフにされるまでであるといえる。
（ソ）上記（ク）【００９８】に「…特別遊技実行手段１１７３は…大入賞口２１２０を閉鎖する。…特別遊技実行手段１１７３は…当該ラウンドが最終ラウンド…であるか否かを判定する。…Ｙｅｓの場合…特別遊技内容決定手段１１７２は、当該特別遊技の契機となった特別図柄の停止特別図柄と遊技状態とに基づき、特別遊技内容参照テーブル１１７２ａを参照し、当該特別遊技終了後の終了デモ時間を決定すると共に、当該決定情報（終了デモ時間）を…セットする。」と記載され、（オ）【００６０】に「…表７は、特別遊技内容参照テーブル１１７２ａの一例である。」と記載されていることに照らすと、（オ）【００６０】の【表７】から、「特別遊技内容参照テーブル１１７２ａは、遊技状態が＜普通図柄通常遊技状態、特別図柄通常遊技状態＞である場合は第１特別図柄ａ１〜ｐ１のいずれにも基づいても終了デモ時間を４秒と規定し、遊技状態が＜普通図柄確率変動遊技状態、特別図柄通常遊技状態＞である場合は第１特別図柄ａ１〜ｐ１のいずれに基づいても終了デモ時間を４秒と規定し、遊技状態が＜普通図柄通常遊技状態、特別図柄確率変動遊技状態＞である場合は第１特別図柄ａ１〜ｃ１、ｉ１〜ｌ１に基づき終了デモ時間を１４秒と規定し、第１特別図柄ｄ１に基づき終了デモ時間を１９秒と規定し、第１特別図柄ｅ１〜ｇ１、ｍ１〜ｐ１に基づき終了デモ時間を４秒と規定し、第１特別図柄ｈ１に基づき終了デモ時間を９秒と規定し、遊技状態が＜普通図柄確率変動遊技状態、特別図柄確率変動遊技状態＞である場合は第１特別図柄ａ１〜ｉ１、ｌ１〜ｏ１に基づき終了デモ時間を４秒と規定し、第１特別図柄ｊ１、ｐ１に基づき終了デモ時間を９秒と規定する」ことが読み取れる。
　そうすると、（ｆ）特別遊技内容参照テーブル１１７２ａは、終了デモ時間を、当該特別遊技の契機となった特別図柄の停止特別図柄と遊技状態とに基づき、４秒、９秒、１４秒又は１９秒の終了デモ時間のいずれかに規定するといえる。
　また、（ｇ）特別遊技内容決定手段１１７２は、特別遊技実行手段１１７３が大入賞口２１２０を閉鎖し、最終ラウンドであると判定する場合に、特別遊技内容参照テーブル１１７２ａを参照し、遊技状態が＜普通図柄通常遊技状態、特別図柄通常遊技状態＞又は＜普通図柄確率変動遊技状態、特別図柄通常遊技状態＞である場合は、当該特別遊技の契機となった特別図柄の停止特別図柄の第１特別図柄ａ１〜ｐ１のいずれに基づいても終了デモ時間を４秒に決定し、遊技状態が＜普通図柄通常遊技状態、特別図柄確率変動遊技状態＞である場合は、当該特別遊技の契機となった特別図柄の停止特別図柄に基づき４秒、９秒、１４秒又は１９秒の終了デモ時間を決定し、遊技状態が＜普通図柄確率変動遊技状態、特別図柄確率変動遊技状態＞である場合は、当該特別遊技の契機となった特別図柄の停止特別図柄に基づき４秒又は９秒の終了デモ時間を決定するといえる。
ウ　引用発明
　刊行物１の記載事項（ア）から（ケ）及び認定事項（ａ）から（ｇ）を総合すると、刊行物１には次の発明（以下「引用発明」という。）が記載されていると認められる（本件補正発明の構成ＡからＦに対応させて、当審にて記号ａからｆを付した。）。
「ａ　第１特図始動口２２１０への遊技球の入球に基づき取得される第１特別図柄用乱数に基づき、当たりであるか否かを抽選する第１特別図柄当否抽選を実行する当否抽選手段１１３５と、第１特別図柄用乱数に基づいて第１特別図柄に関する停止図柄及び変動態様を決定し、これらを第１特図情報一時記憶手段１１９１ｂに一時記憶する第１特図内容決定手段１１４１とを有している遊技制御手段１１００と（【００４６】、【００４８】、【００９１】、【００９２】、認定事項（ａ））、
ｂ　第１特図情報一時記憶手段１１９１ｂに記憶された変動態様に従い、第１特図表示部２１３１上で、所定時間第１特別図柄を変動表示させた後に、第１特図情報一時記憶手段１１９１ｂに記憶されている停止図柄が確定停止図柄として停止表示される第１特別図柄表示装置２１３０と（【００５６】、【００９２】、認定事項（ｂ））、
ｃ　第１特別図柄当否抽選の結果、当たりである場合、第１特別図柄表示装置２１３０の第１特図表示部２１３１上に表示された第１特別図柄が所定態様で停止すると、大入賞口２１２０を所定条件で開状態にするという特別遊技を実行する特別遊技制御手段１１７０と（認定事項（ｄ））、
ｄ　最終ラウンド後から特別遊技実行フラグがオフにされるまでの終了デモ時間を、当該特別遊技の契機となった特別図柄の停止特別図柄と遊技状態とに基づき、４秒、９秒、１４秒又は１９秒の終了デモ時間のいずれかに規定する特別遊技内容参照テーブル１１７２ａと（認定事項（ｃ）、（ｅ）、（ｆ））、
ｅ　特別遊技実行手段１１７３が大入賞口２１２０を閉鎖し、最終ラウンドであると判定する場合に、特別遊技内容参照テーブル１１７２ａを参照し、遊技状態が＜普通図柄通常遊技状態、特別図柄通常遊技状態＞又は＜普通図柄確率変動遊技状態、特別図柄通常遊技状態＞である場合は、当該特別遊技の契機となった特別図柄の停止特別図柄の第１特別図柄ａ１〜ｐ１のいずれに基づいても終了デモ時間を４秒に決定し、遊技状態が＜普通図柄通常遊技状態、特別図柄確率変動遊技状態＞である場合は、当該特別遊技の契機となった特別図柄の停止特別図柄に基づき４秒、９秒、１４秒又は１９秒の終了デモ時間を決定し、遊技状態が＜普通図柄確率変動遊技状態、特別図柄確率変動遊技状態＞である場合は、当該特別遊技の契機となった特別図柄の停止特別図柄に基づき４秒又は９秒の終了デモ時間を決定する特別遊技内容決定手段１１７２と（認定事項（ｃ）、（ｇ））
ｆ　を有しているパチンコ遊技機。（【００４３】）」
（３）刊行物２に記載された技術事項
ア　記載事項
　原査定の拒絶の理由で引用された、本願の出願前に頒布された刊行物である特開２００９−１７８２５８号公報（以下「刊行物２」という。）には、以下の事項が記載されている。
「【００１８】
　まず、図１を参照しながら、本最良形態に係る
パチンコ遊技機
「【００４１】
　ここで、第１特図内容決定手段１１４１は、第１特別図柄に係る停止図柄や変動態様を決定する際に参照される第１特図内容決定用抽選テーブル１１４１ａを有しており、当該第１特図内容決定用抽選テーブル１１４１ａは、当否結果・遊技状態・保留球数に応じて異なる各種抽選テーブルを備えている（例えば、遊技状態に関しては、通常遊技→第１特図通常遊技状態用抽選テーブル１１４１ａ−１、確率変動遊技→第１特図確率変動遊技状態用抽選テーブル１１４１ａ−２、時間短縮遊技→第１特図時間短縮遊技状態用抽選テーブル１１４１ａ−３）。また、第２特図内容決定手段１１４２は、
第２特別図柄に係る停止図柄や変動態様を決定する際に参照される第２特図内容決定用抽選テーブル１１４２ａ
【００４２】
　ここで、
第２特図内容決定用抽選テーブル１１４２ａは
略同一の変動時間（例えば５秒）である変動内容が高頻度で選択されるよう構成され
或いは、第２特図内容決定用抽選テーブル１１４２ａなど持たずに、第２特別図柄の変動態様（変動時間）を一律としてもよい
イ
　上記記載事項アより、刊行物２には次の技術事項（以下「刊行物２に記載された技術事項」という。）が記載されていると認められる。
「パチンコ遊技機において、第２特別図柄に係る停止図柄や変動態様を決定する際に参照される第２特図内容決定用抽選テーブル１１４２ａが、略同一の変動時間（例えば５秒）である変動内容が高頻度で選択されるよう構成される際には、第２特図内容決定用抽選テーブル１１４２ａなど持たずに、第２特別図柄の変動態様（変動時間）を一律とすること。」
（４）対比
　本件補正発明と引用発明とを対比する（本件補正発明の構成ＡからＦに対応して、見出し（Ａ）から（Ｆ）を付した。）。
（Ａ）
　引用発明における「第１特図始動口２２１０への遊技球の入球」は、技術常識に照らして、遊技中に発生することは明らかであるから、引用発明において、「第１特図始動口２２１０への遊技球の入球に基づき取得される第１特別図柄用乱数に基づき、当たりであるか否かを抽選する第１特別図柄当否抽選を実行する」こと及び「第１特別図柄用乱数に基づいて第１特別図柄に関する停止図柄及び変動態様を決定」することは、本件補正発明において、「遊技中に抽選契機が発生すると、内部抽選を実行する」ことに相当する。
　そして、引用発明の「遊技制御手段１１００」は、上記抽選を実行する「当否抽選手段１１３５」と「第１特図内容決定手段１１４１」とを有しているので、本件補正発明の「内部抽選実行手段」に相当する。
（Ｂ）
　引用発明では、「決定」された「第１特別図柄に関する停止図柄及び変動態様」は、「第１特図情報一時記憶手段１１９１ｂに一時記憶」されるので、引用発明において「第１特図情報一時記憶手段１１９１ｂに記憶された変動態様に従」うことは、本件補正発明において「前記内部抽選が実行されると、これを契機として」いることに相当する。
　そして、引用発明において「第１特図表示部２１３１上で、所定時間第１特別図柄を変動表示させた後に、第１特図情報一時記憶手段１１９１ｂに記憶されている停止図柄が確定停止図柄として停止表示される」ことは、本件補正発明において「図柄を所定の変動時間にわたって変動表示させた後に前記内部抽選の結果を表す態様で図柄を停止表示させる」ことに相当する。
　したがって、引用発明の「第１特別図柄表示装置２１３０」は、本件補正発明の「図柄表示手段」に相当する。
（Ｃ）
　引用発明においては、「当たりであるか否かを抽選する」ので、抽選の結果は、当たりか当たりでない（ハズレ）かのいずれかであり、引用発明の「当たり」は、本件補正発明の「非当選以外」に相当する。
　したがって、引用発明において「第１特別図柄当否抽選の結果、当たりである場合、第１特別図柄表示装置２１３０の第１特図表示部２１３１上に表示された第１特別図柄が所定態様で停止する」ことは、本件補正発明において「前記内部抽選の結果に応じて前記図柄表示手段により非当選以外の態様で図柄が停止表示される」ことに相当する。
　そうすると、引用発明の「大入賞口２１２０を所定条件で開状態にするという特別遊技を実行する特別遊技制御手段１１７０」は、本件補正発明の「特別遊技を実行する特別遊技実行手段」に相当する。
（Ｄ）
　引用発明の「最終ラウンド後から特別遊技実行フラグがオフにされるまでの終了デモ時間」は、「特別遊技実行フラグがオフにされるまで」は制御上は「特別遊技」であるから、本件補正発明の「特別遊技の一部を構成する特別遊技時間」に相当する。
　そして、引用発明において、「当該特別遊技の契機となった特別図柄の停止特別図柄」「に基づき」、「４秒、９秒、１４秒又は１９秒の終了デモ時間のいずれかに規定する」ことは、本件補正発明において、「前記図柄表示手段により停止表示された際の図柄の態様に対応して」、「予め複数種類の特別遊技時間を規定する」ことに相当する。
　したがって、引用発明の「特別遊技内容参照テーブル１１７２ａ」は、本件補正発明の「特別遊技時間規定手段」に相当する。
（Ｅ）
　引用発明において、「最終ラウンド後から特別遊技実行フラグがオフにされるまで」は制御上は「特別遊技」であるので、「特別遊技実行手段１１７３が大入賞口２１２０を閉鎖し、最終ラウンドであると判定する場合」は、「特別遊技」が実行されているときであるから、本件補正発明において、「前記特別遊技実行手段により前記特別遊技が実行されるに際して」いる場合に相当する。
　そうすると、引用発明において、「特別遊技実行手段１１７３が大入賞口２１２０を閉鎖し、最終ラウンドであると判定する場合に」、「遊技状態が＜普通図柄通常遊技状態、特別図柄通常遊技状態＞又は＜普通図柄確率変動遊技状態、特別図柄通常遊技状態＞である場合」は、本件補正発明において、「前記特別遊技実行手段により前記特別遊技が実行されるに際して、遊技状態に基づいて決定される特別な条件を満たす場合」に相当する。
　他方、引用発明において、「特別遊技実行手段１１７３が大入賞口２１２０を閉鎖し、最終ラウンドであると判定する場合に」、「遊技状態が＜普通図柄通常遊技状態、特別図柄確率変動遊技状態＞である場合」及び「遊技状態が＜普通図柄確率変動遊技状態、特別図柄確率変動遊技状態＞である場合」は、本件補正発明において、「前記特別な条件を満たさない場合」に相当する。
　そして、引用発明において、「特別遊技内容参照テーブル１１７２ａを参照し」、「当該特別遊技の契機となった特別図柄の停止特別図柄の第１特別図柄ａ１〜ｐ１のいずれに基づいても終了デモ時間を４秒に決定」することは、「予め規定された特別遊技時間を選択する」点で本件補正発明と共通する。
　また、引用発明において、「特別遊技内容参照テーブル１１７２ａを参照し」、「当該特別遊技の契機となった特別図柄の停止特別図柄に基づき４秒、９秒、１４秒又は１９秒の終了デモ時間を決定」すること、及び「特別遊技内容参照テーブル１１７２ａを参照し」、「当該特別遊技の契機となった特別図柄の停止特別図柄に基づき４秒又は９秒の終了デモ時間を決定する」ことは、本件補正発明において、「前記特別遊技時間規定手段に規定された複数種類の特別遊技時間の中から前記図柄表示手段により停止表示された際の図柄の態様に基づいて特別遊技時間を選択する」ことに相当する。
（Ｆ）
　引用発明の「パチンコ遊技機」は、本件補正発明の「遊技機」に相当する。
　（Ａ）から（Ｆ）より、本件補正発明と引用発明との一致点及び相違点は次のとおりである。
［一致点］
「　遊技中に抽選契機が発生すると、内部抽選を実行する内部抽選実行手段と、
　前記内部抽選が実行されると、これを契機として図柄を所定の変動時間にわたって変動表示させた後に前記内部抽選の結果を表す態様で図柄を停止表示させる図柄表示手段と、
　前記内部抽選の結果に応じて前記図柄表示手段により非当選以外の態様で図柄が停止表示されると特別遊技を実行する特別遊技実行手段と、
　前記特別遊技の一部を構成する特別遊技時間について、前記図柄表示手段により停止表示された図柄の態様に対応して予め複数種類の特別遊技時間を規定する特別遊技時間規定手段と、
　前記特別遊技実行手段により前記特別遊技が実行されるに際して、遊技状態に基づいて決定される特別な条件を満たす場合、予め規定された特別遊技時間を選択する一方、前記特別な条件を満たさない場合、前記特別遊技時間規定手段に規定された複数種類の特別遊技時間の中から前記図柄表示手段により停止表示された際の図柄の態様に基づいて特別遊技時間を選択する特別遊技時間選択手段と
　を備えた遊技機。」
［相違点］
　「前記特別遊技実行手段により前記特別遊技が実行されるに際して、遊技状態に基づいて決定される特別な条件を満たす場合」に「選択する」「予め規定された特別遊技時間」が、本願発明では、「前記特別遊技時間規定手段とは別に」規定されたものであるのに対し、引用発明では、そのように規定されたものでない点。
（５）判断
ア　相違点について
　上記相違点について検討する。
　引用発明と刊行物２に記載された技術事項とは、「パチンコ遊技機」という共通の技術分野に属している。
　また、引用発明において、「特別遊技内容参照テーブル１１７２ａを参照し」て、「終了デモ時間」を「決定」することと、刊行物２に記載された技術事項において、「第２特図内容決定用抽選テーブル１１４２ａ」が「参照され」、「変動時間」が「選択される」こととは、いずれもテーブルを参照して、遊技に関連する時間を選択している点で共通の作用を有している。
　してみると、引用発明における「特別遊技内容参照テーブル１１７２ａを参照し、当該特別遊技の契機となった特別図柄の停止特別図柄が第１特別図柄ａ１〜ｐ１のいずれであっても終了デモ時間を４秒に決定」する構成を、刊行物２に記載された技術事項における「略同一の」「時間」が「選択されるよう構成される際には」、「テーブル」「など持たずに」、「時間」「を一律とする」構成に変更することは、当業者が容易に想到し得ることである。
　そして、そのように構成すると、遊技状態が＜普通図柄通常遊技状態、特別図柄通常遊技状態＞又は＜普通図柄確率変動遊技状態、特別図柄通常遊技状態＞である場合の終了デモ時間が、特別遊技内容参照テーブル１１７２ａとは別に規定されるのは明らかであるから、上記相違点に係る構成を備えることになる。
（６）本件補正発明の効果及び審判請求人の主張について
ア　本件補正発明の効果について
　刊行物２に記載された技術事項における「テーブル」「など持たずに」、「時間」「を一律とする」構成に変更することにより、テーブルを持つよりもデータを少なくすることができることは、当業者にとって自明であるから、本件補正発明が有する効果は、引用発明及び刊行物２に記載された技術事項が有する各効果から当業者が予測し得るものであって、格別のものということはできない。
イ　審判請求人の主張について
（ア）審判請求人は、平成３０年３月９日提出の審判請求書の請求の理由中、「〔４〕本願発明と引用文献に記載された発明との対比」及び「〔５〕本願発明の特許性」において、本件補正発明について概ね以下の主張をしている。
（ｉ）刊行物１（段落〔００９８〕）にある本来の「当該特別遊技の契機となった特別図柄の停止特別図柄と遊技状態とに基づき、特別遊技内容参照テーブル１１７２ａを参照し、当該特別遊技終了後の終了デモ時間を決定する」との記載を出発点として考えるならば、刊行物１の表７にある４つの各表は、いずれも「特別図柄の停止特別図柄が何であったかの基準」と「遊技状態が何であったかの基準」をセットで規定したものであり、「表７中、左上と左下の表だけは『特別図柄の停止特別図柄が何であったかの基準』について規定しておらず、『遊技状態が何であったかの基準』だけを規定したものである」と当業者が理解しなければならないとする根拠はないから、＜普通図柄通常遊技状態、特別図柄通常遊技状態＞又は＜普通図柄確率変動遊技状態、特別図柄通常遊技状態＞である場合が本願の発明でいう「特別な条件を満たす場合」に相当するという認定は、本願の発明を先に知った上で引用文献１の記載を後付けで自己に都合よく解釈したものである。
　上記のように、刊行物１記載の発明に、「終了デモ時間の決定に際して『特別な条件を満たす場合』のような判断の基準は存在しない」から、刊行物１記載の発明は、「特別な条件を満たす場合、特別遊技時間規定手段とは別に予め規定された特別遊技時間を選択する」という構成を有しないことは明らかである。そして、その逆の「終了デモ時間の決定に際して『特別な条件を満たさない場合』のような判断の基準も存在しない」ことは明らかであるから、当然に刊行物１記載の発明は、「特別な条件を満たさない場合、特別遊技時間規定手段に規定された複数種類の特別遊技時間の中から図柄表示手段により停止表示された際の図柄の態様に基づいて特別遊技時間を選択する」に相当する構成をも有していない。
（ｉｉ）刊行物２（段落〔００４２〕）に記載されているものは、要するに「変動の対象が第１特別図柄である場合は第１特図内容決定用抽選テーブル１１４１ａを参照し、第２特別図柄である場合は第２特図内容決定用抽選テーブル１１４２ａを参照する」という程度の当業者にとっては極めてありふれた内容に過ぎず、取り立てて「第２特別図柄の変動は『遊技状態に基づいて決定される特別な条件を満たす場合』に該当する」などとわざわざ当業者が解釈しなければならないとする根拠はない。
　そもそも、上記（ｉ）のように刊行物１記載の発明には、「終了デモ時間の決定に際して『特別な条件を満たす場合』のような判断の基準」は存在しないのであり、そこでは常に「当該特別遊技の契機となった特別図柄の停止特別図柄と遊技状態とに基づき、特別遊技内容参照テーブル１１７２ａを参照し、当該特別遊技終了後の終了デモ時間を決定する」としているのだから、刊行物２の上記内容が果たして、刊行物１記載の発明に接した当業者にいかなる動機付けを与えるというのか全く不明である。
（ｉｉｉ）刊行物１記載の発明は、少なくとも本願の発明の構成Ｅを有しておらず、かかる構成は、単に刊行物２の「変動する対象の特別図柄に応じたテーブルを適宜参照する」といった程度のことで容易に埋め合わせすることはできない。
（ｉｖ）刊行物１は、「特別図柄の停止特別図柄と遊技状態」という２つの基準を足し合わせて終了デモ時間を決定しているが、結局は「特別図柄の停止特別図柄が『所定態様ａ１〜ｐ１』のいずれであるかに基づき」という基準から離れることはできず、刊行物１の表７のようにかえって「第１特別図柄の態様×遊技状態」といった煩雑なテーブル構成となってしまう。
　これに対し、本願の発明では、遊技状態に基づいて決定される特別な条件を満たす場合、わざわざ停止表示された際の図柄の態様に基づいて特別遊技時間を選択する必要がなく、別に規定された特別遊技時間を選択しているので、この場合にテーブルを別途設ける必要がなく、プログラム作成に際してデータ領域が圧迫されることを防止することができる点で格別に優位である。
（イ）上記主張（ｉ）については、本件補正後の請求項１には、「遊技状態に基づいて決定される特別な条件」と記載され、特別な条件が遊技状態のみに基づいて決定されるとは記載されていないから、刊行物１の「特別図柄の停止特別図柄が何であったかの基準」と「遊技状態が何であったかの基準」をセットで規定したものを排除するものでなく、審判請求人の主張は特許請求の範囲の記載に基づいたものでない。
　また、本願の発明の詳細な説明を参照すると、【０３９３】に「…遊技状態が高確率非時間短縮状態（高確率かつ電サポ無し状態）である場合（Ｙｅｓ）、主制御ＣＰＵ７２は次にステップＳ５７１４を実行する。」と記載され、【０３９４】に「ステップＳ５７１４：主制御ＣＰＵ７２は、大当り時の図柄オフセット値を確認する。…図柄オフセット番号は、１〜１２までの値が当選図柄（又は小当り図柄）に対応して設定されている。」と記載され、【０３９５】に「…主制御ＣＰＵ７２は図柄オフセット値が当選図柄の種類である「４ラウンド確変図柄１」や「２ラウンド確変図柄１」に対応する４又は５であるか否かを確認する。この確認の結果、図柄オフセット値が４又は５である場合（Ｙｅｓ）、主制御ＣＰＵ７２は次のステップＳ５７３０を実行する。」と記載され、【０４０２】に「ステップＳ５７３０：主制御ＣＰＵ７２は、エンディング時間として１０，６００ｍｓ（１０．６秒）を設定する。」と記載されている。
　これらの記載を考慮すると、発明の詳細な説明に記載の実施態様においても、主制御ＣＰＵ７２は、遊技状態が高確率非時間短縮状態（高確率かつ電サポ無し状態）である場合、当選図柄の種類である「４ラウンド確変図柄１」や「２ラウンド確変図柄１」であることを条件に、エンディング時間として１０，６００ｍｓ（１０．６秒）を設定するといえるから、審判請求人が、「特別図柄の停止特別図柄が何であったかの基準」と「遊技状態が何であったかの基準」をセットで規定していると主張する引用発明と異なるところはない。
　さらに本件補正発明において仮に、特別な条件が遊技状態のみに基づいて決定されるとしても、上記（５）において説示したように、引用発明における「特別遊技内容参照テーブル１１７２ａを参照し、当該特別遊技の契機となった特別図柄の停止特別図柄が第１特別図柄ａ１〜ｐ１のいずれであっても終了デモ時間を４秒に決定」する構成を、刊行物２に記載された技術事項における「略同一の」「時間」が「選択されるよう構成される際には」、「テーブル」「など持たずに」、「時間」「を一律とする」構成に変更すれば、その結果として「当該特別遊技の契機となった特別図柄の停止特別図柄」には基づかずに「終了デモ時間」が決定されることになるため、「終了デモ時間」を決定するための条件は、実質的に遊技状態が＜普通図柄通常遊技状態、特別図柄通常遊技状態＞又は＜普通図柄確率変動遊技状態、特別図柄通常遊技状態＞であることのみとなる。
　次に上記主張（ｉｉ）及び（ｉｉｉ）については、刊行物２には上記（３）に記載したとおりの技術事項が記載されている。そして、組み合わせの動機付け及び構成の埋め合わせについては上記（５）で説示したとおりである。
　上記主張（ｉｖ）については、上記（６）アで説示したとおりである。
　以上のとおりであるから、審判請求人の主張を採用することはできない。
（７）小括
　したがって、上記（５）及び（６）において検討したように、本件補正発明は、引用発明及び刊行物２に記載された技術事項に基づいて、当業者が容易に発明をすることができたものであるから、特許法第２９条第２項の規定により、特許出願の際独立して特許を受けることができない。 
４　本件補正についてのむすび
　上記３において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は、上記第２のとおり却下されたので、本願の請求項１ないし３に係る発明は、平成２９年７月１０日に提出された手続補正書により補正された特許請求の範囲の請求項１ないし３に記載された事項により特定されるものと認められるところ、その請求項１に係る発明（以下「本願発明」という。）は、上記第２の１において本件補正前の請求項１として記載した、次のとおりのものである（当審にて分説のため記号を付した。本件補正発明と共通の記号は、両発明間で実質的に共通する構成に対応する。） 
「　【請求項１】
Ａ　遊技中に抽選契機が発生すると、内部抽選を実行する内部抽選実行手段と、
Ｂ　前記内部抽選が実行されると、これを契機として図柄を所定の変動時間にわたって変動表示させた後に前記内部抽選の結果を表す態様で図柄を停止表示させる図柄表示手段と、
Ｃ　前記内部抽選の結果に応じて前記図柄表示手段により非当選以外の態様で図柄が停止表示されると特別遊技を実行する特別遊技実行手段と、
Ｄ　前記特別遊技の一部を構成する特別遊技時間について、前記図柄表示手段により停止表示された図柄の態様に対応して予め複数種類の特別遊技時間を規定する特別遊技時間規定手段と、
Ｅ’前記特別遊技実行手段により前記特別遊技が実行されるに際して、特別な条件を満たす場合、前記特別遊技時間規定手段とは別に予め規定された特別遊技時間を選択する一方、前記特別な条件を満たさない場合、前記特別遊技時間規定手段に規定された複数種類の特別遊技時間の中なら前記図柄表示手段により停止表示された際の図柄の態様に基づいて特別遊技時間を選択する特別遊技時間選択手段と
Ｆ　を備えた遊技機。」
２　原査定における拒絶の理由
　原査定の拒絶の理由は概略、本願発明は、その出願前に日本国内又は外国において頒布された下記の引用文献１及び２に記載された発明に基づいて、その出願前にその発明の属する技術の分野における通常の知識を有する者が容易に発明をすることができたものであるから、特許法第２９条第２項の規定により特許を受けることができない、というものである。
引用文献１．特開２０１０−２３３９８５号公報（当審註：上記刊行物１と同じ）
引用文献２．特開２００９−１７８２５８号公報（当審註：上記刊行物２と同じ）
３　原査定の理由について
（１）刊行物の記載事項
　拒絶の理由に引用された刊行物１及び２の記載事項はそれぞれ、上記第２の３（２）及び（３）に記載したとおりである。
（２）対比・判断
　本件補正発明は、上記第２の２に記載したとおり、本願発明における「特別な条件」について、「遊技状態に基づいて決定される」という限定事項を付加したものである。
　そうすると、本願発明を特定するために必要な事項をすべて含み、さらに特定するために必要な事項を付加した本件補正発明が、上記第２の３に記載したとおり、引用発明及び刊行物２に記載された技術事項に基づいて、当業者が容易に発明をすることができたものであるのだから、上記限定事項を付加していない本願発明も引用発明及び刊行物２に記載された技術事項に基づいて、当業者が容易に発明をすることができたものであるといえる。
第４　むすび
　上記第３より、本願発明は、引用発明及び刊行物２に記載された技術事項に基づいて当業者が容易に発明をすることができたものであるから、特許法第２９条第２項の規定により特許を受けることができない。
　したがって、その余の請求項について検討するまでもなく、本願は拒絶されるべきものである。
　よって、結論のとおり審決する。